(57)【要約】【課題】  夜間等に釣りをする場合に、釣り人が浮きを確認し易くすると共に、かつ、釣り人に対して魚のあたりを確認し易くすることができるようにする。【解決手段】  浮き本体１が水面に浮かんでいる状態で、光源が縦方向の回転となるように発光部４を配置すると共に、光源の回転軸上近傍の表面に糸固定部５を設けることにより、浮きを水面に浮かべた通常状態において、光源が縦方向の回転となり、魚がかかった状態において、糸固定部５が引かれることにより浮き本体１が回転し、光源が横方向の回転となるようにして水上に対する発光状態を変化させる。【選択図】      図１
0003102424.tif 000002
【実用新案登録請求の範囲】
【請求項１】
周方向に回転する光源を有する発光部と、前記発光部に電源を供給する電源部と、釣り糸を固定するための糸固定部と、前記発光部及び前記電源部とを内蔵し、前記糸固定部を表面に設けた浮き本体とを備える釣り用浮きであって、
前記浮き本体は、前記浮き本体が水面に浮かんでいる状態で、前記光源が縦方向の回転となるように前記発光部を配置すると共に、前記光源の回転軸上近傍の表面に前記糸固定部を設けることを特徴とする釣り用浮き。
【請求項２】
前記発光部は、発光素子と前記発光素子を回転させるモータとを備えて構成されることを特徴とする請求項１に記載の釣り用浮き。
【請求項３】
前記発光部は、周方向に配列した複数の発光素子と、前記発光素子を順次点滅させる制御回路とを備えて構成されることを特徴とする請求項１に記載の釣り用浮き。
【考案の詳細な説明】
【技術分野】
【０００１】
本考案は、魚釣りをする際に用いられる浮きに関するものである。
【背景技術】
【０００２】
従来、魚釣りをする際に用いられる浮きの上面に釣り糸との接続部を設け、釣り糸の先端に取り付けた針に魚等がかかることにより、釣り糸に対して下方向に引く力を与えた場合、水面上の浮きが反転することによって、魚等のあたりを知らせる方法が知られている（例えば特許文献１など）。
【特許文献１】特開平９−２７５８６６号公報
【０００３】
しかしながら、特許文献１に記載の方法によれば、夜間等に釣りをしている場合には、浮きの反転を確認することが困難になってしまうという問題があった。
【０００４】
一方、魚釣りをする際に用いられる浮きの内部にランプ又はブザーを設け、設定値を超える下方への引っ張り力が付与されたときに、ランプを点灯又はブザーを発音させることによって魚のあたりを知らせる方法が知られている（例えば特許文献２など）。
【特許文献２】特開平９−３１３０８１号公報
【０００５】
しかしながら、特許文献２に記載の方法によれば、ランプは魚のあたりがあったときに点灯されるので、夜間等に釣りをしている場合に、魚のあたりが無い状態の浮きを確認することが困難になってしまうという問題があった。
【考案の開示】
【考案が解決しようとする課題】
【０００６】
本考案は、前述した問題を解決するために成されたものであり、魚のあたりの有無にかかわらず、夜間等に釣りをする際に、釣り人が浮きを確認し易くすることを目的とする。
【課題を解決するための手段】
【０００７】
前述した課題を解決するために、本考案では、浮き本体が水面に浮かんでいる状態で縦方向の回転となる光源を有する発光部を設けると共に、この光源の回転軸上近傍となる浮き本体の表面に糸固定部を設けている。
【考案の効果】
【０００８】
上記のように構成した釣り用浮きは、浮きを水面に浮かべた通常状態において、光源が縦方向の回転となり、水上及び水中に向かって発光するので、夜間等に釣りをする場合に、水上に向かう光により釣り人が浮きを確認し易くすることができる。また、魚がかかった状態において、糸固定部が引かれることにより浮き本体が回転するので、光源が横方向の回転となり、水上に対する発光状態が変化するので、釣り人に対して魚のあたりを確認し易くすることができる。
【考案を実施するための最良の形態】
【０００９】
（第１の実施形態）
以下、本考案の第１の実施形態を図面に基づいて説明する。図１は、第１の実施形態による釣り用浮きの構成例を示す図である。図1において、１は浮き本体であり、少なくともその一部を水上に露出して浮くように発泡性の部材や中空の部材によって構成されている。また、浮き本体１は、比重の異なる材質により構成したり、比重の異なる部材を貼付したりすることで、比重の重い部分と比重の軽い部分を形成している。２は浮き本体１における比重の重い部分であり、３は浮き本体１における比重の軽い部分である。このように、浮き本体１に比重の重い部分２と比重の軽い部分３とを設けることで、浮き本体１を水に浮かべると比重の重い部分２が下になる。
【００１０】
４は発光部であり、表面が透光性を有する部材により構成されており、内部に発光素子として第１のＬＥＤ６ａ（図示せず）、第２のＬＥＤ６ｂ、第３のＬＥＤ６ｃ、第４のＬＥＤ６ｄが組み込まれている。また、第１のＬＥＤ６ａ、第２のＬＥＤ６ｂ、第３のＬＥＤ６ｃ、第４のＬＥＤ６ｄを順番に点滅させることで、これらの発光素子の光源は回転軸を中心に回転するように発光する。５は糸固定部であり、釣り竿（図示せず）から伸ばされた釣り糸を固定するためのものであり、光源の回転軸近傍の浮き本体１の表面上に設けられている。
【００１１】
本考案による釣り用浮きでは、浮き本体１はその一部を水上に露出して浮くように比重が調整されている。第１の実施形態による釣り用浮きの浮き本体１では、比重の重い部分２と比重の軽い部分３との境界線は光源の回転方向に対して垂直となっているが、浮き本体１の内部に組み込まれる発光部４等の重量に応じて、比重の重い部分２と比重の軽い部分３との境界線を偏らせる必要がある。また、比重の重い部分２と比重の軽い部分３との比率は、少なくとも浮き本体１の一部を水上に露出して浮くように構成されている。
【００１２】
図２は、第１の実施形態による釣り用浮きの発光部４の構成例を示す図である。図２（Ａ）は、４つの発光素子を順番に点滅させる構成とした発光部４を示す上面図及び側面図であり、図２（Ｂ）は、２つの発光素子を回転させる構成とした発光部４を示す上面図及び側面図である。
【００１３】
図２（Ａ）において、６ａは第１のＬＥＤ、６ｂは第２のＬＥＤ、６ｃは第３のＬＥＤ、６ｄは第４のＬＥＤである。７はケース部であり、その側面が透光性を有する部材により構成されている。８は制御回路であり、第１のＬＥＤ６ａ、第２のＬＥＤ６ｂ、第３のＬＥＤ６ｃ、第４のＬＥＤ６ｄに対して、所定時間の点灯と消灯とを繰り返すように制御を行う。そして、第１のＬＥＤ６ａ、第２のＬＥＤ６ｂ、第３のＬＥＤ６ｃ、第４のＬＥＤ６ｄ、ケース部７、制御回路８により発光部４が構成されている。
【００１４】
また、９は電源部であり、第１のＬＥＤ６ａ乃至第４のＬＥＤ６ｄと制御回路８に電源を供給している。そして、第１のＬＥＤ６ａが点灯し、消灯すると、次に第２のＬＥＤ６ｂが点灯し、消灯する。同様に、第２のＬＥＤ６ｂが消灯すると、第３のＬＥＤ６ｃが点灯し、消灯する。そして、第３のＬＥＤ６ｃが消灯すると、第４のＬＥＤ６ｄが点灯し、消灯する。更に、第４のＬＥＤが消灯すると、第１のＬＥＤ６ａが点灯し、消灯する。このように、第１のＬＥＤ６ａ乃至第４のＬＥＤ６ｄがある時間差を持って点滅を繰り返すので、あたかも光源が回転しているように見える。
【００１５】
一方、図２（Ｂ）において、６はＬＥＤであり、１８０度の角度を持って二つ設けられている。７はケース部であり、その側面が透光性を有する部材により構成されている。１０は回転筐体であり、外周に前記ＬＥＤ６が取り付けられており、回転可能に中心部分を軸支されている。１１はモータであり、回転筐体１０を回転させる。８は制御回路であり、ＬＥＤ６の点灯及びモータ１１の回転を制御する。そして、ＬＥＤ６、ケース部７、制御回路８、回転筐体１０、モータ１１により発光部４が構成されている。また、９は電源部であり、ＬＥＤ６，制御回路８及びモータ１１に電源を供給している。そして、モータ１１が回転することにより回転筐体１０は回転し、回転筐体１０に取り付けられたＬＥＤ６の光源も回転する。
【００１６】
次に、第１の実施形態による釣り用浮きの動作を図面に基づいて説明する。図３は、第１の実施形態による釣り用浮きの動作を示す図である。図３において、図３（Ａ）は第１の実施形態による釣り用浮きを糸に固定し、水面に浮かべた通常状態を示す図である。釣り竿から伸ばされた糸は、所定の位置で浮き本体１に設けた糸固定部５に固定されている。そして、糸の先には錘及び針が取り付けられている。浮き本体１は、比重の重い部分２を下方にし、比重の軽い部分３を上方にして水面に浮かんでいる。この状態では、発光部４の光源は縦方向に回転しているので、水上及び水中に向かって発光する。
【００１７】
一方、図３において、図３（Ｂ）は第１の実施形態による釣り用浮きを固定した糸の先端の針に魚がかかった状態を示す図である。釣り竿から伸ばされた糸には、魚により下方への引っ張り力がかかるため、糸固定部５も下方に引かれる。そして、浮き本体１は糸固定部５に加わる引っ張り力によって略９０度回転する。このとき、浮き本体１は、魚により下方への引っ張り力が加わっても簡単に水中に沈まないように充分な浮力を持っている。この状態では、発光部４の光源は横方向に回転しているので、水上に向かって発光する。
【００１８】
以上、詳しく説明したように、第１の実施形態による釣り用浮きは、浮き本体１を水面に浮かべた通常状態において、水上及び水中に向かって発光するので、夜間等に釣りをする場合でも釣り人が浮きを確認し易くすることができる。また、魚がかかった状態において、水上に対する発光状態が変化するので、釣り人が魚のあたりを確認し易くすることができる。
【００１９】
（第２の実施形態）
次に、本考案の第２の実施形態を図面に基づいて説明する。図４は、第２の実施形態による釣り用浮きの構成例を示す図であり、図４（Ａ）は上面図、図４（Ｂは側面図である。図４において、２１は浮き本体であり、四角柱により構成され、少なくともその一部を水上に露出して浮くように発泡性の部材や中空の部材によって構成されている。また、浮き本体２１は、比重の異なる材質により構成したり、比重の異なる部材を貼付したりすることで、比重の重い部分と比重の軽い部分を形成している。２２は浮き本体２１における比重の重い部分であり、２３は浮き本体２１における比重の軽い部分である。このように、浮き本体２１に比重の重い部分２２と比重の軽い部分２３とを設けることで、浮き本体２１を水に浮かべると比重の重い部分２２が下になる。
【００２０】
２４は発光部であり、表面が透光性を有する部材により構成されており、内部に発光素子として第１のＬＥＤ６ａ、第２のＬＥＤ６ｂ、第３のＬＥＤ６ｃ、第４のＬＥＤ６ｄ（いずれも図示せず）が組み込まれている。また、第１のＬＥＤ６ａ、第２のＬＥＤ６ｂ、第３のＬＥＤ６ｃ、第４のＬＥＤ６ｄを順番に点滅させることで、これらの発光素子の光源は回転軸を中心に回転するように発光する。２５は糸固定部であり、釣り竿（図示せず）から伸ばされた釣り糸を固定するためのものであり、光源の回転軸近傍の浮き本体２１の表面上に設けられている。
【００２１】
第２の実施形態による釣り用浮きでは、浮き本体２１はその一部を水上に露出して浮くように比重が調整されている。ここでは、比重の重い部分２２と比重の軽い部分２３との境界線は光源の回転方向に対して垂直となっているが、浮き本体２１の内部に組み込まれる発光部２４等の重量に応じて、比重の重い部分２２と比重の軽い部分２３との境界線を偏らせる必要がある。また、比重の重い部分２２と比重の軽い部分２３との比率は、少なくとも浮き本体２１の一部を水上に露出して浮くように構成されている。
【００２２】
図５は、第２の実施形態による釣り用浮きの発光部２４の構成例を示す図である。図５（Ａ）は、４つの発光素子を順番に点滅させる構成とした発光部２４を示す上面図及び側面図であり、図５（Ｂ）は、２つの発光素子を回転させる構成とした発光部２４を示す上面図及び側面図である。
【００２３】
図５（Ａ）において、６ａは第１のＬＥＤ、６ｂは第２のＬＥＤ、６ｃは第３のＬＥＤ、６ｄは第４のＬＥＤである。２７はケース部であり、その側面が透光性を有する部材により構成されている。８は制御回路であり、第１のＬＥＤ６ａ、第２のＬＥＤ６ｂ、第３のＬＥＤ６ｃ、第４のＬＥＤ６ｄに対して、所定時間の点灯と消灯とを繰り返すように制御を行う。そして、第１のＬＥＤ６ａ、第２のＬＥＤ６ｂ、第３のＬＥＤ６ｃ、第４のＬＥＤ６ｄ、ケース部２７、制御回路８により発光部２４が構成されている。
【００２４】
また、９は電源部であり、第１のＬＥＤ６ａ乃至第４のＬＥＤ６ｄと制御回路８に電源を供給している。そして、第１のＬＥＤ６ａが点灯し、消灯すると、次に第２のＬＥＤ６ｂが点灯し、消灯する。同様に、第２のＬＥＤ６ｂが消灯すると、第３のＬＥＤ６ｃが点灯し、消灯する。そして、第３のＬＥＤ６ｃが消灯すると、第４のＬＥＤ６ｄが点灯し、消灯する。更に、第４のＬＥＤが消灯すると、第１のＬＥＤ６ａが点灯し、消灯する。このように、第１のＬＥＤ６ａ乃至第４のＬＥＤ６ｄがある時間差を持って点滅を繰り返すので、あたかも光源が回転しているように見える。
【００２５】
一方、図５（Ｂ）において、６はＬＥＤであり、１８０度の角度を持って二つ設けられている。２７はケース部であり、その側面が透光性を有する部材により構成されている。１０は回転筐体であり、外周に前記ＬＥＤ６が取り付けられており、回転可能に中心部分を軸支されている。１１はモータであり、回転筐体１０を回転させる。８は制御回路であり、ＬＥＤ６の点灯及びモータ１１の回転を制御する。そして、ＬＥＤ６、ケース部２７、制御回路８、回転筐体１０、モータ１１により発光部２４が構成されている。また、９は電源部であり、ＬＥＤ６、制御回路８及びモータ１１に電源を供給している。そして、モータ１１が回転することにより回転筐体１０は回転し、回転筐体１０に取り付けられたＬＥＤ６の光源も回転する。なお、第２の実施形態による釣り用浮きの動作は、第１の実施形態と同様であるため説明を省略する。
【００２６】
以上、詳しく説明したように、第２の実施形態による釣り用浮きは、浮き本体２１を水面に浮かべた通常状態において、水上及び水中に向かって発光するので、夜間等に釣りをする場合でも釣り人が浮きを確認し易くすることができる。また、魚がかかった状態において、水上に対する発光状態が変化するので、釣り人が魚のあたりを確認し易くすることができる。また、浮き本体２１を四角柱としたので、水面に浮かべた通常状態では水面に接する面積を大きくとることができ、安定した状態とすることができる。また、魚がかかった状態では、水上に出る部分を大きくすることができるので、より釣り人に浮きを確認し易くさせることができる。
【００２７】
（第３の実施形態）
次に、本考案の第３の実施形態を図面に基づいて説明する。図６は、第３の実施形態による釣り用浮きの構成例を示す図であり、図６（Ａ）は上面図、図６（Ｂは側面図である。図６において、３１は浮き本体であり、円柱により構成され、少なくともその一部を水上に露出して浮くように発泡性の部材や中空の部材によって構成されている。また、浮き本体３１は、比重の異なる材質により構成したり、比重の異なる部材を貼付したりすることで、比重の重い部分と比重の軽い部分を形成している。３２は浮き本体３１における比重の重い部分であり、３３は浮き本体３１における比重の軽い部分である。このように、浮き本体３１に比重の重い部分３２と比重の軽い部分３３とを設けることで、浮き本体３１を水に浮かべると比重の重い部分３２が下になる。
【００２８】
３４は発光部であり、表面が透光性を有する部材により構成されており、内部に発光素子として第１のＬＥＤ乃至第４のＬＥＤが組み込まれている。また、第１のＬＥＤ乃至第４のＬＥＤを順番に点滅させることで、これらの発光素子の光源は回転軸を中心に回転するように発光する。３５は糸固定部であり、釣り竿（図示せず）から伸ばされた釣り糸を固定するためのものであり、光源の回転軸近傍の浮き本体３１の表面上に設けられている。なお、第３の実施形態による釣り用浮きの発光部３４の構成及び釣り用浮きの動作は、第１の実施形態と同様であるため説明を省略する。
【００２９】
以上、説明したように、第３の実施形態による釣り用浮きは、浮き本体３１を水面に浮かべた通常状態において、水上及び水中に向かって発光するので、夜間等に釣りをする場合でも釣り人が浮きを確認し易くすることができる。また、魚がかかった状態において、水上に対する発光状態が変化するので、釣り人が魚のあたりを確認し易くすることができる。また、浮き本体３１を円柱としたので、水面に浮かべた通常状態では水面に接する面積を大きくとることができ、安定した状態とすることができる。また、魚がかかった状態では、水上に出る部分を大きくすることができるので、より釣り人が浮きを確認し易くすることができる。
【００３０】
なお、上記第１〜第３の実施形態において、ケース部材は透光性を有する部材としているが、ＬＥＤ６，第１のＬＥＤ６ａ，第２のＬＥＤ６ｂ，第３のＬＥＤ６ｃ，第４のＬＥＤ６ｄに対向する部分のみを透光性を有する部材としても良い。
【００３１】
また、上記第１〜第３の実施形態において、第１のＬＥＤ６ａ乃至第４のＬＥＤ６ｄは均等の間隔を持って配置されているが、対称となるＬＥＤ（例えば、第１のＬＥＤと第３のＬＥＤ又は第２のＬＥＤと第４のＬＥＤ）以外のＬＥＤについては、どちらかのＬＥＤに近付くように偏らせて配置させても良い。例えば、発光部４，２４，３４内のＬＥＤの配置を図７に示すように、第１のＬＥＤ６ａと第２のＬＥＤ６ｂと第３のＬＥＤ６ｃとを近付けて、第４のＬＥＤ６ｄを第２のＬＥＤ６ｂと対称の位置に配置しても良い。この浮きを水面に浮かべたときは、水中を照らす光源は第４のＬＥＤ６ｄのみとなるので、水中になるべく光を照射しないようにすることができる。従って、光を嫌うような魚を釣る場合でも、本考案の釣り用浮きを使用することができる。
【００３２】
以上、本考案を実施するにあたっての具体化の例を示したが、上記第１〜第３の実施形態は、本考案を実施するにあたっての具体化の一例を示したものに過ぎず、これによって本考案の技術的範囲が限定的に解釈されてはならないものである。すなわち、本考案はその精神、またはその主要な特徴から逸脱することなく、様々な形で実施することができる。
【産業上の利用可能性】
【００３３】
本考案は、魚釣りをする際に使用される浮きに有用である。
【図面の簡単な説明】
【００３４】
【図１】第１の実施形態による釣り用浮きの構成例を示す図である。
【図２】第１の実施形態による釣り用浮きの発光部の構成例を示す図である。
【図３】第１の実施形態による釣り用浮きの動作を示す図である。
【図４】第２の実施形態による釣り用浮きの構成例を示す図である。
【図５】第２の実施形態による釣り用浮きの発光部の構成例を示す図である。
【図６】第３の実施形態による釣り用浮きの構成例を示す図である。
【図７】本実施形態による第１のＬＥＤ乃至第４のＬＥＤの配置の例を示す図である。
【符号の説明】
【００３５】
１，２１，３１    浮き本体
２，２２，３２    比重の重い部分
３，２３，３３    比重の軽い部分
４，２４，３４    発光部
５，２５，３５    糸固定部
６    ＬＥＤ
６ａ    第１のＬＥＤ
６ｂ    第２のＬＥＤ
６ｃ    第３のＬＥＤ
６ｄ    第４のＬＥＤ
７，２７    ケース部
８    制御回路
９    電源部
１０    回転筐体
１１    モータ
【図１】
0003102424.tif 000003
【図２】
0003102424.tif 000004
【図３】
0003102424.tif 000005
【図４】
0003102424.tif 000006
【図５】
0003102424.tif 000007
【図６】
0003102424.tif 000008
【図７】
0003102424.tif 000009